(57)【要約】      （修正有）【課題】被支持部からの脱落を防止でき、意匠性の高い持ち手および傘を提供する。【解決手段】持ち手本体８の先端８ｂに、被支持部に当接させて持ち手本体８を支持する支持部９を設け、支持部９の被支持部との当接面１１ａに、小滑り止め凸部１２と大滑り止め凸部１３とを設けた。これら小滑り止め凸部１２と大滑り止め凸部１３は、それぞれ肉球に対応する位置に配置されている。すなわち、小滑り止め凸部１２は、猫の手の指球に対応する位置に配置されている。一方、大滑り止め凸部１３は、猫の手の掌球に対応する位置に配置されている。【選択図】図２
0003196915.tif 000002
【実用新案登録請求の範囲】
【請求項１】
持ち手本体の先端に、被支持部に当接させて前記持ち手本体を支持する支持部を設け、
前記支持部の前記被支持部との当接面に、複数の滑り止め部を設け、
前記複数の滑り止め部のうち、少なくとも１つの前記滑り止め部の大きさは、他の前記滑り止め部の大きさと異なることを特徴とする持ち手。
【請求項２】
前記滑り止め部は、ゴム材料からなる凸部であることを特徴とする請求項１に記載の持ち手。
【請求項３】
前記支持部は動物の手を模したものであり、前記滑り止め部は、肉球に対応する箇所に設けられていることを特徴とする請求項１または請求項２に記載の持ち手。
【請求項４】
請求項１〜請求項３の何れか１項に記載の持ち手を用いたことを特徴とする傘。
【考案の詳細な説明】
【技術分野】
【０００１】
この考案は、持ち手およびこの持ち手を用いた傘に関するものである。
【背景技術】
【０００２】
一般に、傘は中心軸と、この中心軸の先端に放射状に設けられた支骨および親骨と、支骨および親骨に張られた傘布と、中心軸の基端に設けられた持ち手と、を備えている。持ち手は、樹脂等により形成されており、使用者が持ち歩きし易いように略Ｕ字状に形成されている場合が多い。
【先行技術文献】
【特許文献】
【０００３】
【特許文献１】特開２０１４−６４７８９号公報
【考案の概要】
【考案が解決しようとする課題】
【０００４】
ところで、傘の持ち手を例えば机等の被支持部に引っ掛けて置く場合、持ち手の先端を机に当接させ、中心軸の先端を床面に垂らす形になる。つまり、机の上に傘が懸吊された状態になる。
【０００５】
しかしながら、持ち手の先端は滑りやすく、机の上から持ち手が脱落して床面に傘が落ちて汚れてしまうおそれがあるという課題があった。
また、持ち手の形状が単なるＵ字状であるため、意匠性に乏しいという課題があった。
【０００６】
そこで、この考案は、上述した事情に鑑みてなされたものであって、被支持部からの脱落を防止でき、意匠性の高い持ち手および傘を提供するものである。
【課題を解決するための手段】
【０００７】
上記の課題を解決するために、本考案に係る持ち手は、持ち手本体の先端に、被支持部に当接させて前記持ち手本体を支持する支持部を設け、前記支持部の前記被支持部との当接面に、複数の滑り止め部を設け、前記複数の滑り止め部のうち、少なくとも１つの前記滑り止め部の大きさは、他の前記滑り止め部の大きさと異なることを特徴とする。
【０００８】
このように構成することで、被支持部からの持ち手の脱落を確実に防止できる。また、持ち手本体に支持部を設けることにより、持ち手の意匠性を高めることができる。さらに、支持部に設けられた複数の滑り止め部のうち、少なくとも１つの滑り止め部の大きさを、他の滑り止め部の大きさと異ならせることにより、持ち手の意匠性をさらに高めることができる。
【０００９】
本考案に係る持ち手において、前記滑り止め部は、ゴム材料からなる凸部であることを特徴とする。
【００１０】
このように構成することで、使用者の持ち手の把持感覚を向上させることができる。
【００１１】
本考案に係る持ち手において、前記支持部は動物の手を模したものであり、前記滑り止め部は、肉球に対応する箇所に設けられていることを特徴とする。
【００１２】
このように構成することで、持ち手の意匠性をさらに高めることができる。
【００１３】
本考案に係る傘は、上記に記載の持ち手を用いたことを特徴とする。
【００１４】
このように構成することで、被支持部からの脱落を防止でき、意匠性の高い傘を提供できる。
【考案の効果】
【００１５】
本考案によれば、被支持部からの持ち手の脱落を確実に防止できる。また、持ち手本体に支持部を設けることにより、持ち手の意匠性を高めることができる。さらに、支持部に設けられた複数の滑り止め部のうち、少なくとも１つの滑り止め部の大きさを、他の滑り止め部の大きさと異ならせることにより、持ち手の意匠性をさらに高めることができる。
【図面の簡単な説明】
【００１６】
【図１】本考案の実施形態における傘の使用状態の１つを示す斜視図である。
【図２】本考案の実施形態における持ち手の斜視図である。
【図３】本考案の実施形態における支持部の拡大斜視図である。
【考案を実施するための形態】
【００１７】
次に、この考案の実施形態を図面に基づいて説明する。
【００１８】
（傘）
図１は、傘１の使用状態の１つを示す斜視図である。
同図に示すように、傘１は、中心軸２と、この中心軸２の先端に放射状に設けられた不図示の支骨および親骨３と、支骨および親骨３に張られた傘布４と、中心軸２の基端に設けられた持ち手５と、を備えている。図１では、傘１は、閉じられた状態になっており、被支持部である机６に、中心軸２の先端が床面７に垂れ下がるように懸吊されている。
【００１９】
（持ち手）
図２は、持ち手５の斜視図である。
持ち手５は、略Ｕ字状に形成された持ち手本体８を有している。持ち手本体８は、中心軸２に接合される基端８ａ側が、先端８ｂ側よりも長く延出形成された形になっている。持ち手本体８の先端８ｂ側には、支持部９が設けられている。そして、図１に示すように、机６に支持部９を当接させるようにして、机６に傘１が懸吊される。
【００２０】
（支持部）
図３は、支持部９の拡大斜視図である。
同図に示すように、支持部９は、動物の手（例えば、本実施形態では猫の手）を模した筐体１１を有している。筐体１１は、持ち手本体８と同様の材料により、この持ち手本体８と一体的に形成されている。
【００２１】
筐体１１における机６との当接面１１ａには、複数（例えば、本実施形態では４つ）の小滑り止め凸部１２と、１つの大滑り止め凸部１３とが設けられている。
これら小滑り止め凸部１２と大滑り止め凸部１３は、それぞれ肉球に対応する位置に配置されている。すなわち、小滑り止め凸部１２は、猫の手の指球に対応する位置に配置されている。一方、大滑り止め凸部１３は、猫の手の掌球に対応する位置に配置されている。
【００２２】
そして、小滑り止め凸部１２は、猫の手の指球を模した形で、筐体１１の当接面１１ａから突出するように形成されている。一方、大滑り止め凸部１３は、猫の手の掌球を模した形で、筐体１１の当接面１１ａから突出するように形成されている。このように、大滑り止め凸部１３の大きさは、小滑り止め凸部１２の大きさよりも大きく設定されている。
【００２３】
また、各滑り止め凸部１２，１３は、筐体１１と比較して摩擦係数が高く、かつ弾性力を有するゴム材料により形成されている。
【００２４】
このように構成された傘１を、例えば、机６上に引っ掛けて置く場合、図１に示すように、支持部９の各滑り止め部１２，１３が当接する。これら滑り止め部１２，１３は、筐体１１（持ち手本体８）よりも摩擦係数の高いゴム材料により形成されているので、机６から持ち手５が脱落することがない。
【００２５】
したがって、上述の実施形態によれば、机６等の被支持部に傘１を引っ掛けて置く場合、机６等から傘１が脱落し、この傘１が汚れてしまうことを確実に防止できる。
また、持ち手本体８に支持部９を設けることにより、持ち手５の意匠性を高めることができる。さらに、支持部９に設けられた各滑り止め凸部１２，１３は、それぞれ大きさを変えて配置されているので、筐体に単に同一の大きさの滑り止め凸部を形成する場合と比較して意匠性を高めることができる。
【００２６】
とりわけ、上述の実施形態では、筐体１１を猫の手に摸して形成し、各滑り止め凸部１２，１３を、それぞれ猫の手の肉球に見立てて形成している。すなわち、小滑り止め凸部１２を、猫の手の指球を模した形で形成する一方、大滑り止め凸部１３を、猫の手の掌球を模した形で形成している。そして、小滑り止め凸部１２を、猫の手の指球に対応する位置に配置する一方、大滑り止め凸部１３を、猫の手の掌球に対応する位置に配置している。このため、持ち手５の意匠性を格段に高めることができる。
【００２７】
また、各滑り止め凸部１２，１３をゴム材料により形成しているので、使用者の持ち手５の把持感覚を向上させることができる。つまり、使用者は、持ち手５を把持した際に心地よさを感じることができる。
【００２８】
なお、本考案は上述の実施形態に限られるものではなく、本考案の趣旨を逸脱しない範囲において、上述の実施形態に種々の変更を加えたものを含む。
【００２９】
例えば、上述の実施形態では、筐体１１を動物の手に摸して形成した場合について説明した。しかしながら、これに限られるものではなく、動物の手以外の形状（例えば、単なる円板形状）であってもよい。この場合であっても、大きさの異なる滑り止め凸部を複数配置することにより、持ち手５（傘１）の意匠性を高めることができる。
【００３０】
また、筐体１１の動物の手を摸した例として、例えば、猫の手を摸した場合について説明した。しかしながら、これに限られるものではなく、さまざまな動物の手を摸して形成することが可能である。例えば、猫の手に代わって熊の手を摸して筐体１１を形成してもよい。
これに加え、上述の実施形態では、小滑り止め凸部１２を４つ形成し、大滑り止め凸部１３を１つ形成した場合について説明した。しかしながら、これに限られるものではなく、筐体１１が模した動物の手に対応して小滑り止め凸部１２や大滑り止め凸部１３の数を設定すればよい。
【００３１】
さらに、上述の実施形態では、各滑り止め凸部１２，１３は、ゴム材料により形成されている場合について説明した。しかしながら、これに限られるものではなく、筐体１１よりも摩擦係数が高く、かつ筐体１１よりも弾性を有する材料により各滑り止め凸部１２，１３が形成されていればよい。
【００３２】
また、上述の実施形態では、持ち手本体８は、略Ｕ字状に形成されている場合について説明した。しかしながら、これに限られるものではなく、さまざまな形状の持ち手に支持部９の構成を採用することができる。
例えば、略Ｉ字状に形成されている持ち手にも、上述の実施形態の支持部９の構成を採用することができる。略Ｉ字状に形成されている持ち手に支持部９を採用する場合、持ち手の基端（傘を差している状態で地面側の端部）に持ち手の長手方向に対して直交する方向に支持部９を延出形成することが好ましい。
【００３３】
さらに、上述の実施形態では、傘１の持ち手５に支持部９を設けた場合について説明した。しかしながら、これに限られるものではなく、持ち手５を必要とするさまざまな道具に、持ち手５を採用することが可能である。例えば、杖の持ち手に上述の実施形態の持ち手５を採用することが可能である。
【符号の説明】
【００３４】
１…傘
２…中心軸
３…親骨
４…傘布
５…持ち手
６…机（被支持部）
７…床面
８…持ち手本体
９…支持部
１１…筐体
１１ａ…当接面
１２…小滑り止め凸部（滑り止め部）
１３…大滑り止め凸部（滑り止め部）
【図１】
0003196915.tif 000003
【図２】
0003196915.tif 000004
【図３】
0003196915.tif 000005